(57)【特許請求の範囲】
【請求項１】
釣糸が巻回される釣糸巻回胴部と、前側の鍔部と釣糸巻回胴部の後側の筒部からなる該釣糸巻回胴部を挟む大径部と、中心前部に形成された制動部材収容凹部と、該制動部材収容凹部の後壁から後側に延びた支軸嵌合部と、該支軸嵌合部の中心に形成されたスプ−ル軸が着脱自在に嵌合する透孔と、前記釣糸巻回胴部の内周面と支軸嵌合部の外側の間に形成された後側凹部に補強リブを形成した魚釣用スピニングリールのスプールにおいて、
前記後側凹部に形成された補強リブを前記支軸嵌合部の外側に連結しないで離間して設けたことを特徴とする魚釣用スピニングリ−ルのスプ−ル。
【発明の詳細な説明】
【０００１】
【発明の属する技術分野】
この発明は、釣糸が巻回されて釣糸巻回胴部等が巻き締められることで起こるトラブルを改善した魚釣用スピニングリ−ルのスプ−ルに関する。
【０００２】
【従来の技術】
従来魚釣用スピニングリ−ルのスプ−ルは、
魚釣用スピニングリ−ルでは、釣糸が巻回される釣糸巻回胴部の前側に鍔部からなる大径部が、後側に筒部からなる大径部が形成され、中心の支軸嵌合部にスプ−ル軸が着脱自在に嵌合されている。
【０００３】
前記魚釣用スピニングリ−ルでは、軽量化と強度の面から例えば実開昭58−152874号公報のように釣糸巻回胴部と支軸嵌合部は放射形状リブで連結されているのが現状である。
しかし、釣糸巻回胴部に張力の掛かった釣糸が巻取り巻回されると、釣糸巻回胴部が巻き締められて放射形状リブを介して支軸嵌合部に作用するので、支軸嵌合部の内周径が縮径されてスプ−ル軸の嵌合がきつくなり、スプ−ルの着脱が不可能になってしまうことがある。
【０００４】
前記支軸嵌合部の内周径の縮径変形によるスプ−ルの着脱不能の不具合を防止するために、釣糸巻回胴部と支軸嵌合部とを弾性変形可能な周方向に傾斜したリブにて連結したものが例えば実公平４−45506 号公報で知られている。
しかしながら、周方向に傾斜したリブが弾性変形しながら釣糸巻回胴部を支えるので支持強度が弱く、スプ−ルが破損したり、近接するロ−タに接触したり、又、釣糸巻回時の巻き締め力が支軸嵌合部に構造的に直接加わるので、強負荷巻き締め力が作用したり、スプ−ル軸との嵌合精度を向上させた場合等にはどうしても嵌合がしぶくなってスプ−ルの着脱が容易に行えない等の課題が残されている。
【０００５】
【０００６】
【発明が解決しようとする課題】
解決しようとする問題点は、スプ−ル内部が軽量化のために肉抜き形成されると、スピニングリ−ルのスプ−ル形状では、釣糸で釣糸巻回胴部が巻き締められると、支軸嵌合部の内周径が縮径されてスプ−ル軸の嵌合がきつくなり、スプ−ルの着脱が不可能なる。
支軸嵌合部の内周径の縮径を改善した提案では、周方向に傾斜したリブが弾性変形しながら釣糸巻回胴部を支えるので支持強度が弱く、スプ−ルが破損したり、近接するロ−タに接触したりする欠点がある。
【０００７】
本発明の目的は前記欠点に鑑み、支軸嵌合部に連結しない離間した補強リブで釣糸巻回胴部を支え、スプ−ル軸の着脱嵌合を容易にすると共に近接物体に接触しないように保持可能な魚釣用スピニングリ−ルのスプ−ルを提供することである。
【０００８】
【課題を解決するための手段】
上記課題を解決するために、本発明は、釣糸が巻回される釣糸巻回胴部と、前側の鍔部と釣糸巻回胴部の後側の筒部からなる該釣糸巻回胴部を挟む大径部と、中心前部に形成された制動部材収容凹部と、該制動部材収容凹部の後壁から後側に延びた支軸嵌合部と、該支軸嵌合部の中心に形成されたスプ−ル軸が着脱自在に嵌合する透孔と、前記釣糸巻回胴部の内周面と支軸嵌合部の外側の間に形成された後側凹部に補強リブを形成した魚釣用スピニングリールのスプールにおいて、
前記後側凹部に形成された補強リブを前記支軸嵌合部の外側に連結しないで離間して設けたことを要旨とするものである。
【０００９】
【発明の実施の形態】
本発明により、図示しない釣糸の巻取り時の巻き締め力が釣糸巻回胴部1a、6aに作用しても、補強リブ1j、1j、1n、1o、1p、1q、1r、1s、6iにより充分な補強が可能となるため、スプ−ル破損やスプ−ル当り等の不具合が防止できると共に巻き締め力が支軸嵌合部1f、6eに加わらないので、中心透孔1g、6fの変形が防止できてスプ−ルの着脱操作に支障をきたすことがない。
【００１０】
【実施例】
以下、図示の実施例によって本発明を説明すると、図１から図３は第１実施例で魚釣用リ−ルを魚釣用スピニングリ−ルで述べれば、図１は魚釣用スピニングリ−ルのスプ−ルの要部断面側面図、図２はスプ−ルの背面図、図３は図１のF3−F3断面線の断面背面図である。
【００１１】
魚釣用スピニングリ−ルのスプ−ル１は、図示しない釣糸が巻回される外周の釣糸巻回胴部1aと、釣糸巻回胴部1aの前側の鍔部からなる大径部1bと、釣糸巻回胴部1aの後側の筒部からなる大径部1cと、中心前部に制動部材収容凹部1dと、制動部材収容凹部1dの後壁1eから後側に延びた支軸嵌合部1fと、支軸嵌合部1fの中心透孔1gと、釣糸巻回胴部1aの内周面1hと支軸嵌合部1fの外側の間の後側凹部1iに形成された補強リブ1jとで形成されている。
補強リブ1jは背面より見て２組の三角形が組み合わされて形成されている。
補強リブ1jの各横辺ａは支軸嵌合部1fの外周から離間されて間隙ｓが形成されている。
【００１２】
凹部1dは制動部材Ａの収容室に構成されている。
凹部1d内には２条の溝部1kと制動部材Ａの抜け止め凹部1mが形成されている。
支軸嵌合部1fの中心透孔1gにはスプ−ル軸２が挿通されている。
スプ−ル軸２に直交するように設けられたピン３と支軸嵌合部1fの後端面の間に摩擦板４と制動板５が挟み込まれる。
【００１３】
釣糸巻回胴部1aに図示しない釣糸が巻取り時の巻回で巻き締められると、釣糸巻回胴部1aの変形が補強リブ1jで補強されてたわまず、補強リブ1jは支軸嵌合部1fの外周から離間されて間隙ｓが形成されているので、巻き締め力は支軸嵌合部1fに加わらない。
釣糸巻回胴部1aの変形が防止されると、釣糸巻回胴部1aの後側の筒部からなる大径部1cの変形が防止される。
【００１４】
前記のように魚釣用スピニングリ−ルのスプ−ル１が構成されると、図示しない釣糸の巻取り時の巻き締め力が釣糸巻回胴部1aに作用しても、補強リブ1jにより充分な補強が可能となるため、スプ−ル破損やスプ−ル当り等の不具合が防止できると共に巻き締め力が支軸嵌合部1fに加わらないので、中心透孔1gの変形が防止できてスプ−ルの着脱操作に支障をきたすことがない。
【００１５】
図４、図５は第２実施例で、図４は魚釣用スピニングリ−ルのスプ−ルの要部断面側面図、図５は魚釣用スピニングリ−ルのスプ−ルの背面図である。
【００１６】
第２実施例では、スプ−ル１の釣糸巻回胴部1aの内周面1hと支軸嵌合部1fの外側の間の凹部1iに補強リブ1nが形成されている。
補強リブ1nは背面より見て四角形に形成されている。
他の構成は前記第１実施例と略同一である。
【００１７】
図６は第３実施例で、図６は魚釣用スピニングリ−ルのスプ−ルの背面図である。
【００１８】
第３実施例では、スプ−ル１の釣糸巻回胴部の内周面1hと支軸嵌合部1fの外側の間の凹部1iに補強リブ1oが形成されている。
補強リブ1oは背面より見て三角形に形成されている。
他の構成は前記第１実施例と略同一である。
【００１９】
図７は第４実施例で、図７は魚釣用スピニングリ−ルのスプ−ルの背面図である。
【００２０】
第４実施例では、スプ−ル１の釣糸巻回胴部の内周面1hと支軸嵌合部1fの外側の間の凹部1iに補強リブ1pが形成されている。
補強リブ1pは背面より見て略＃字形に形成されている。
他の構成は前記第１実施例と略同一である。
【００２１】
図８は第５実施例で、図８は魚釣用スピニングリ−ルのスプ−ルの背面図である。
【００２２】
第５実施例では、スプ−ル１の釣糸巻回胴部の内周面1hと支軸嵌合部1fの外側の間の凹部1iに補強リブ1qが形成されている。
補強リブ1qは背面より見てリング部と複数の放射方向のリブ部で形成されている。
他の構成は前記第１実施例と略同一である。
【００２３】
図９は第６実施例で、図９は魚釣用スピニングリ−ルのスプ−ルの背面図である。
【００２４】
第６実施例では、スプ−ル１の釣糸巻回胴部の内周面1hと支軸嵌合部1fの外側の間の凹部1iに補強リブ1rが形成されている。
補強リブ1rは背面より見て円弧リブが三角形状に配置されて形成されている。
他の構成は前記第１実施例と略同一である。
【００２５】
図10は第７実施例で、図10は魚釣用スピニングリ−ルのスプ−ルの背面図である。
【００２６】
第７実施例では、スプ−ル１の釣糸巻回胴部の内周面1hと支軸嵌合部1fの外側の間の凹部1iに補強リブ1sが形成されている。
補強リブ1sは背面より見て六角形リブの角部から放射方向のリブ部が形成されている。
他の構成は前記第１実施例と略同一である。
【００２７】
【００２８】
【００２９】
【００３０】
【００３１】
【発明の効果】
本発明は、以上説明したような形態で実施され、以下に記載されるような効果を奏する。
【００３２】
図示しない釣糸の巻取り時の巻き締め力が釣糸巻回胴部に作用しても、釣糸巻回胴部内側における後側凹部を補強リブにより充分な補強が可能となるため、スプ−ル破損やスプ−ル当り等の不具合が防止できると共に巻き締め力が支軸嵌合部に加わらないので、中心透孔の変形が防止できてスプ−ルの着脱操作に支障をきたすことがない。
また釣糸巻回胴部内側における後側凹部の変形が防止されると、釣糸巻回胴部の後側の筒部からなる大径部の変形が防止される。
【図面の簡単な説明】
【図１】第１実施例で、魚釣用スピニングリ−ルのスプ−ルの要部断面側面図である。
【図２】同スプ−ルの背面図である。
【図３】同図１のF3−F3断面線の断面背面図である。
【図４】第２実施例で、魚釣用スピニングリ−ルのスプ−ルの要部断面側面図である。
【図５】同魚釣用スピニングリ−ルのスプ−ルの背面図である。
【図６】第３実施例で、魚釣用スピニングリ−ルのスプ−ルの背面図である。
【図７】第４実施例で、魚釣用スピニングリ−ルのスプ−ルの背面図である。
【図８】第５実施例で、魚釣用スピニングリ−ルのスプ−ルの背面図である。
【図９】第６実施例で、魚釣用スピニングリ−ルのスプ−ルの背面図である。
【図10】第７実施例で、魚釣用スピニングリ−ルのスプ−ルの背面図である。
【符号の説明】
１  スプ−ル
1a  釣糸巻回胴部
1j、1j、1n、1o、1p、1q、1r、1s  補強リブ
1f  支軸嵌合部
1g  中心透孔
【図１】
0003557105.tif 000002
【図２】
0003557105.tif 000003
【図３】
0003557105.tif 000004
【図４】
0003557105.tif 000005
【図５】
0003557105.tif 000006
【図６】
0003557105.tif 000007
【図７】
0003557105.tif 000008
【図８】
0003557105.tif 000009
【図９】
0003557105.tif 000010
【図１０】
0003557105.tif 000011